(57)【要約】      （修正有）【課題】必要に応じて、背面を趣のあるものとすることができると共に、周囲の状況に合わせて背面を変えることができる家具を提供する。【解決手段】背面に板部材を取り付ける本体取付手段を有する家具本体２１と、該本体取付手段と着脱自在に係合する板取付手段を有する板部材４１と、を備えてなる、家具である。前記本体取付手段と前記板取付手段との一方が凸部であり、かつ他方が該凸部が嵌脱自在に嵌入される嵌入部であってもよい。また、前記家具本体２１が、略直方体の形状を有するものであってもよい。そして、前記板部材４１が、前記背面の略全面を覆うものであってもよい。さらに、前記板部材４１が、前記板部材４１の表面に収納手段を着脱自在に取り付ける収納手段取付手段を有しているものであってもよい。【選択図】  図１
2004215695.tif 000002
【特許請求の範囲】
【請求項１】
背面に板部材を取り付ける本体取付手段を有する家具本体と、
該本体取付手段と着脱自在に係合する板取付手段を有する板部材と、を備えてなる、家具。
【請求項２】
前記本体取付手段と前記板取付手段との一方が凸部であり、かつ他方が該凸部が嵌脱自在に嵌入される嵌入部である、請求項１に記載の家具。
【請求項３】
前記家具本体が、略直方体の形状を有するものである、請求項１又は２に記載の家具。
【請求項４】
前記板部材が、前記背面の略全面を覆うものである、請求項１乃至３のいずれかに記載の家具。
【請求項５】
前記板部材が、前記板部材の表面に収納手段を着脱自在に取り付ける収納手段取付手段を有しているものである、請求項１乃至４のいずれかに記載の家具。
【請求項６】
前記収納手段取付手段が、前記収納手段が有する凸部である収納手段凸部を着脱自在に嵌入する凹部である収納手段凸部嵌入凹部である、請求項５に記載の家具。
【請求項７】
前記板部材は、前記収納手段が前記板部材の表面に着脱自在に取り付けたものである、請求項５又は６のいずれかに記載の家具。
【請求項８】
前記収納手段が棚又は箱体である、請求項５乃至７のいずれかに記載の家具。
【請求項９】
請求項１乃至８のいずれかに記載の家具本体。
【請求項１０】
請求項１乃至８のいずれかに記載の板部材。
【発明の詳細な説明】
【０００１】
【発明の属する技術分野】
本発明は、家具に関し、より詳細には、家具が設置される状況に応じて背面を変化させることができる家具に関する。
【０００２】
【従来の技術】
たんす、食器棚、本箱、流し台、机等のような家具は、家の中に据えて用いられてきた。これまでの家具は、背面（家具を使用者が使用する際、使用者が面する家具の面に対して反対側の面をいう。）を家の中の壁に面するように（壁と背面とが狭い隙間を介して）配置されることがほとんどであり、家具を一度設置してしまえば背面は見えなくなってしまう場合が多かった。
このため家具の価格を抑える等のために、家具の背面は、薄い板（通常、ベニヤ板等と呼ばれる。また多くの場合は塗装等も施されていない。）で味気なく構成されることが多かった。
【０００３】
【発明が解決しようとする課題】
しかしながら、住居の多様化等によって、家具は、従来とは異なった状態にて配置されることも多くなった。即ち、従前は、前述のように家具の背面が壁面に面するように家具を配置して背面は人の目につかないことがほとんどであったが、家具の背面側に人がおり背面が人の目につくような状態に家具が配置されることが多くなった。
例えば、家具自体によって間仕切りをするような場合（例えば、広い部屋をたんす等によって２の部屋に分割する場合等）であれば、間仕切りされた２の部屋のうち家具の背面側に存する部屋に居る人からは家具の背面がいわば部屋の壁になるので、家具の背面をいつも見ることになる。このような状態において、家具の背面がこれまでのような味気ないものであれば、部屋の雰囲気がこわれてしまう。
また、このような問題を解決するために、最初から背面を美しい化粧板等で構成しておくことも考えられるが、従前のように家具の背面を壁面に面するように配置して家具を使用する場合であれば背面を構成する化粧板は不要であるので不要なものによって家具のコスト上昇を招く問題があり、さらに間仕切りする場合では背面側の部屋の雰囲気は様々に異なりうるので、取付済みの化粧板では背面側の部屋の雰囲気にうまく合わないこともあり得る。
【０００４】
そこで、本発明では、必要に応じて、（人が見た際）背面を趣のあるものとすることができると共に、周囲の状況に合わせて背面を変えることができる家具を提供することを目的とする。
【０００５】
【課題を解決するための手段】
本発明の家具（以下、「本家具」という。）は、背面に板部材を取り付ける本体取付手段を有する家具本体と、該本体取付手段と着脱自在に係合する板取付手段を有する板部材と、を備えてなる、家具である。
ここにいう「背面」とは、本家具を使用者が使用する際、使用者が面する家具本体の面（正面）に対して反対側に位置する家具本体の面をいう。
このため本体取付手段と板取付手段とを着脱自在に係合させることで、家具本体の背面に板部材を着脱自在に取り付けることができる。従って、本家具は、背面を趣のあるものとする必要がないときには家具本体のみで従来の家具と同様に使用することができると共に、背面を趣のあるものとする必要があるときには板部材（通常、化粧板が用いられる。）を取り付けることができる。そして、板部材は家具本体の背面に着脱自在に取り付けられるので（本体取付手段と板取付手段とは着脱自在に係合可能である。）、周囲の状況に合わせて板部材を取り替えることができる。即ち、本家具は、必要に応じて背面を趣のあるものとすることができると共に、周囲の状況に合わせて背面を変えることができる。
なお、本家具は、様々なものを構成することができるが、一例を挙げるとすれば、たんす、食器棚、本箱、流し台、机等を例示することができる。
【０００６】
前記本体取付手段と前記板取付手段とは、着脱自在に係合することができ家具本体の背面に板部材を確実に取り付けることができるものであればいかなるものであってもよく何ら限定されるものではなく、例えば、前記本体取付手段と前記板取付手段との一方が凸部であり、かつ他方が該凸部が嵌脱自在に嵌入される嵌入部としてもよい。こうすることで凸部と嵌入部という簡単な構成でありながら、凸部を嵌入部に嵌入することで容易かつ確実に家具本体の背面に板部材を取り付けることができると共に、凸部を嵌入部から抜き取ることで容易に家具本体の背面から板部材を取り外すことができる。
かかる凸部と嵌入部とは様々な組み合わせが可能であるが、（１）凸部を突出した突起とし嵌入部を該突起を収容する凹部としたり、（２）凸部を凸条とし嵌入部を該凸条を収容する凹溝とすること等を例示することができる。
【０００７】
前記家具本体が、略直方体の形状を有するものであってもよい。
こうすることで本家具を間仕切りの目的に好適に使用することができる。即ち、通常の部屋は略直方体の形状を有するものであるため、このような略直方体形状の部屋を間仕切りするには略直方体形状のもの（家具本体）を用いる方がやりやすいからである。
【０００８】
前記板部材が、前記背面の略全面を覆うものであってもよい。
板部材は、本家具の背面側を趣のあるものとするために用いられるため、味気なく無粋な家具本体の背面の一部であっても直接目に触れないことが好ましく、かかる点からは板部材が家具本体の背面の略全面を覆うことが好ましい。
【０００９】
前記板部材が、前記板部材の表面に収納手段を着脱自在に取り付ける収納手段取付手段を有しているものであってもよい。
ここに「収納手段」とは、何らかの物を保持することができるものであればいかなるものであってもよく何ら限定されるものではないが、例えば、何らかの物を載置することができる棚や、何らかの物を収容することができる箱体等を例示することができる。
また、「板部材の表面」とは、板部材が有する両主表面のうち家具本体に面する面とは反対側の面（即ち、本家具の背面を形成する面）をいう。
このようにすることで板部材の表面（本家具の背面）に収納手段を着脱自在に取り付けることができるので、必要に応じて収納手段を取り付けたり取り外したりしつつ本家具を使用することができるので便利である。
【００１０】
前記収納手段取付手段が、前記収納手段が有する凸部である収納手段凸部を着脱自在に嵌入する凹部である収納手段凸部嵌入凹部であってもよい。
前記収納手段取付手段は、板部材の表面に収納手段を着脱自在に確実に取り付けることができるものであればいかなるものであってもよく何ら限定されるものではなく、例えば、収納手段が鋼材を有していればそれを吸着する磁石であったり、収納手段が磁石又は鋼材を有していれば、それらを吸着する磁石であってもよく、さらに収納手段が有する凸部である収納手段凸部を着脱自在に嵌入する凹部である収納手段凸部嵌入凹部であってもよい。
とりわけ収納手段取付手段を収納手段凸部嵌入凹部とすれば、凸部（収納手段凸部）と凹部（収納手段凸部嵌入凹部）という簡単な構成でありながら、該凸部を該凹部に嵌入することで容易かつ確実に収納手段を板部材の表面に取り付けることができると共に、該凸部を該凹部から抜き取ることで容易に収納手段を板部材の表面から取り外すことができる。
かかる収納手段凸部と収納手段凸部嵌入凹部とは様々な組み合わせが可能であるが、（１）収納手段凸部を突出した突起とし収納手段凸部嵌入凹部を該突起を収容する凹部としたり、（２）収納手段凸部を凸条とし収納手段凸部嵌入凹部を該凸条を収容する凹溝とすること等を例示することができる。
【００１１】
前記板部材は、前記収納手段が前記板部材の表面に着脱自在に取り付けたものであってもよい。
このように板部材の表面に収納手段を着脱自在に取り付けておけば、収納手段を取り付けた状態で本家具を使用することができ、収納手段が不要であれば適宜取り外すことができるので便利である。
【００１２】
【発明の実施の形態】
以下、本発明の実施の形態を図面を参照して説明する。しかしながら、これらによって本発明は何ら制限されるものではない。
【００１３】
図１は、一実施形態の本発明の家具（本家具）１１の斜視図（背面側からの斜視図）であり、図２は本家具１１を構成する家具本体２１の斜視図（背面側からの斜視図）であり、図３は本家具１１を構成する板部材４１に含まれる３枚の板部材４１ａ、４１ｂ、４１ｃのうちの１枚を示す斜視図（板部材の表面側、即ち、本家具１１の背面を構成する面の方から見た斜視図）である。
ここに本家具１１は、家具本体２１（２１ａ、２１ｂ、２１ｃ）と、家具本体２１の背面２３に着脱自在に取り付けられた板部材４１（４１ａ、４１ｂ、４１ｃ）と、板部材４１の表面に着脱自在に取り付けられた棚６１（収納手段）（６１ａ、６１ｂ、６１ｃ）と、板部材４１の表面に着脱自在に取り付けられた箱体６３（収納手段）（６３ａ、６３ｂ、６３ｃ、６３ｄ）と、を備えてなる。
【００１４】
家具本体２１は、搬送を便ならしめる等のため従来の食器棚と同様、第１部分２１ａ、第２部分２１ｂ、第３部分２１ｃの３つの分割可能な部分によって形成されている。そして、家具本体２１は略直方体の形状を有している。
家具本体２１は、背面２３の所定位置に本体取付手段（凸部）たるボルト２５（合計１８本）がねじこまれていることが従来の食器棚と異なるのみで、その他の点は従来の食器棚と同じである。従って、家具本体２１については、従来の食器棚と異なるボルト２５に関してのみここでは説明し、その余については説明を省略する（家具本体２１の背面２３とは逆側の正面２４から、通常の食器棚と同様に使用できる。）。第１部分２１ａ、第２部分２１ｂ、第３部分２１ｃのそれぞれは、それぞれの背面の縁部に沿って６のボルト２５がねじ込まれている。
図４は、ボルト２５が家具本体２１にねじ込まれたところを示す拡大断面図である（１８本全てのボルト２５が、図４に示したようにねじ込まれている。）。図４を参照して、ボルト２５について詳しく説明する。ボルト２５は、軸部２５ａと、軸部２５ａの長手方向に対して略垂直方向に突出するように形成されたつば部２５ｃと、頭部２５ｂと、を有してなる。軸部２５ａのうちつば部２５ｃよりも先端側（頭部２５ｂとは逆側）には、雄ねじ（材木に対するタッピンねじ）が螺刻されている。ボルト２５は、つば部２５ｃの一面が家具本体２１に当接するまで該雄ねじによって家具本体２１にねじ込まれている。このため軸部２５ａのうちつば部２５ｃよりも基端側（頭部２５ｂ側）と頭部２５ｂとは、家具本体２１に対して（略垂直方向に向けて）突出している。
【００１５】
板部材４１は、第１の板部材４１ａと第２の板部材４１ｂと第３の板部材４１ｃとによって形成されている。ここで第１の板部材４１ａは第１部分２１ａの背面の全面を丁度覆うことができる大きさ及び形状にされており（第１の板部材４１ａの両主表面と第１部分２１ａの背面とはほぼ同じ大きさ及び形状にされている。）、第２の板部材４１ｂは第２部分２１ｂの背面の全面を丁度覆うことができる大きさ及び形状にされており（第２の板部材４１ｂの両主表面と第２部分２１ｂの背面とはほぼ同じ大きさ及び形状にされている。）、そして第３の板部材４１ｃは第３部分２１ｃの背面の全面を丁度覆うことができる大きさ及び形状にされており（第３の板部材４１ｃの両主表面と第３部分２１ｃの背面とはほぼ同じ大きさ及び形状にされている。）。また、ここでは第１部分２１ａ、第２部分２１ｂ及び第３部分２１ｃの背面はいずれも略同じ大きさ及び形状にされていることから、第１の板部材４１ａと第２の板部材４１ｂと第３の板部材４１ｃとのいずれも図３に示すような同じ大きさ及び形状を有している。
【００１６】
第１の板部材４１ａ、第２の板部材４１ｂ及び第３の板部材４１ｃのいずれも、それらが図１に示すように第１部分２１ａ、第２部分２１ｂ及び第３部分２１ｃに取り付けられたとき、第１部分２１ａ、第２部分２１ｂ及び第３部分２１ｃにねじ込まれたボルト２５の位置に対応する位置（第１の板部材４１ａ、第２の板部材４１ｂ及び第３の板部材４１ｃの裏面（板部材が有する両主表面のうち表面４１ｆとは異なる逆の面をいう。）であってボルト２５に対応する位置）には、図５に示すような取付金具７１（板取付手段）が取り付けられている（即ち、第１の板部材４１ａ、第２の板部材４１ｂ及び第３の板部材４１ｃのいずれも、６個の取付金具７１が取り付けられている。）。図５を参照して取付金具７１について説明する。
【００１７】
図５（ａ）は取付金具７１の平面図（即ち、板部材の裏面に取付金具７１が取り付けられた場合、該裏面の垂直方向から見たところを示している。）であり、図５（ｂ）は図５（ａ）のＡ−Ａ断面図である。取付金具７１は、打ち抜いた鋼板をプレス成形することで形成されたものであり細長い帯状をしている。取付金具７１は、一端側と他端側とにそれぞれ取付穴７３ａ、７３ｂ（図示しない木ねじ等を取付穴７３ａ、７３ｂに嵌入し、取付金具７１を被取付物に対して取り付けるためのもの）を有する平坦部７４ａ、７４ｂと、平坦部７４ａと平坦部７４ｂとの間に湾曲した湾曲部７４ｃと、を備えてなる。そして、湾曲部７４ｃと平坦部７４ｂとに連続するように長穴７５が形成されている。長穴７５の他端側（平坦部７４ｂ側）には大穴部７５ａが形成されている。ここに長穴７５のうち大穴部７５ａはボルト２５の頭部２５ｂが通過可能であるが、長穴７５のうちそれ以外の部分（図５（ａ）中、矢印Ｂ方向に存する部分）は頭部２５ｂが通過することができないようになっている。なお、ボルト２５のうち、軸部２５ａのつば部２５ｃよりも基端側（頭部２５ｂ側）の部分は長穴７５の全ての位置を貫通することができるようになっている。
【００１８】
そして、取付金具７１は、大穴部７５ａが長穴７５の下端となるように（即ち、取付穴７３ａが上部に、そして取付穴７３ｂが下部になるように、またここでは取付穴７３ａの鉛直下方に取付穴７３ｂが位置するように）第１の板部材４１ａ、第２の板部材４１ｂ及び第３の板部材４１ｃの裏面の所定位置に取り付けられている。
このため家具本体２１（第１部分２１ａ、第２部分２１ｂ及び第３部分２１ｃ）の背面２３にねじ込まれたボルト２５と、板部材４１（第１の板部材４１ａ、第２の板部材４１ｂ及び第３の板部材４１ｃ）の裏面に取り付けられた取付金具７１と、は着脱自在に係合することができる。即ち、板部材４１（第１の板部材４１ａ、第２の板部材４１ｂ及び第３の板部材４１ｃ）の裏面に取り付けられた取付金具７１それぞれの大穴部７５ａに、それに対応するボルト２５の頭部２５ｂを嵌入し、その後、板部材４１（第１の板部材４１ａ、第２の板部材４１ｂ及び第３の板部材４１ｃ）を家具本体２１（第１部分２１ａ、第２部分２１ｂ及び第３部分２１ｃ）に対して下降させる。これによってボルト２５の頭部２５ｂそれぞれは、頭部２５ｂが通過することができない長穴７５の部分（図５（ａ）中、矢印Ｂ方向に存する部分）に移動することで、ボルト２５と取付金具７１とを係合させることができる。図６は、ボルト２５と取付金具７１とが係合した状態を示す一部断面図である。ボルト２５の頭部２５ｂが、頭部２５ｂが通過することができない長穴７５の部分（図５（ａ）中、矢印Ｂ方向に存する部分）に移動しており、さらにボルト２５の軸部２５ａのつば部２５ｃよりも基端側（頭部２５ｂ側）の部分が、長穴７５の一端側（平坦部７４ａ側、大穴部７５ａとは逆側）の縁部に当接することで板部材４１（第１の板部材４１ａ、第２の板部材４１ｂ及び第３の板部材４１ｃ）の家具本体２１（第１部分２１ａ、第２部分２１ｂ及び第３部分２１ｃ）に対する高さ方向の位置が決められている（逆に言えば、図６に示されたような係合状態が全てのボルト２５とそれに対応する取付金具７１との間に形成されたとき、板部材４１が家具本体２１の背面２３を所定の位置関係でうまく覆うことができるようにボルト２５と取付金具７１とが配設されている。）。
また、図６に示されたこの係合状態から、板部材４１（第１の板部材４１ａ、第２の板部材４１ｂ及び第３の板部材４１ｃ）を家具本体２１（第１部分２１ａ、第２部分２１ｂ及び第３部分２１ｃ）に対して上昇させることで、ボルト２５の頭部２５ｂそれぞれは、頭部２５ｂが通過することができる大穴部７５ａの位置に移動することで、ボルト２５と取付金具７１との係合を解くことができる。
【００１９】
一方、第１の板部材４１ａ、第２の板部材４１ｂ、第３の板部材４１ｃのいずれも表面４１ｆは、美しい塗装が施されており、人の目にふれたとき美感を生じさせるものである。そして、図３が示すように、表面４１ｆが形成する略長方形の２辺（ここでは短辺）に略平行になるように、そして互いが略等間隔になるように、表面４１ｆには５本の溝形成部材４３が埋設されている。溝形成部材４３はいずれも同じ形状及び大きさを有しており、さらに、その長手方向に対して垂直な断面はいずれの位置も全て同じ断面形状を有している。その溝形成部材４３の長手方向に対する垂直な断面形状の一例である図３中のＣ−Ｃ断面を図７に示す。図７を参照して、該断面形状について説明する。
溝形成部材４３は、金属によって形成された細長い棒状の部材であり、前述のように、その長手方向に対する垂直な断面はいずれの位置も図７に示すような形状を有している。該断面において溝形成部材４３は略長方形の形状を有しており、該略長方形の一辺が、板部材４１ａ、４１ｂ、４１ｃの表面４１ｆに沿うように溝形成部材４３は配設されている。そして、溝形成部材４３は、該一辺から内部に向かって形成された溝４３ｂを有している。溝４３ｂは、内部に向かうにつれて上昇すると共に、該断面において上に凹の形状を有している。
【００２０】
これに対して、収納手段たる棚６１（６１ａ、６１ｂ、６１ｃ）及び箱体６３（６３ａ、６３ｂ、６３ｃ、６３ｄ）のいずれも、溝４３ｂ（収納手段凸部嵌入凹部）にほぼぴったりと嵌入される凸条８１（収納手段凸部）を有する。
【００２１】
図８は、棚６１（６１ａ、６１ｂ、６１ｃ）の取付状態を示す断面図（棚６１ａ、６１ｂ、６１ｃのいずれも同じ構造を有するので、棚６１ｃについて図１のＤ−Ｄ断面を示した。）である。図８を参照して、棚６１（６１ａ、６１ｂ、６１ｃ）の取付状態について説明する。棚６１は、木製の棚板６２ａと、棚板６２ａを取り付ける金具６２ｂと、を有してなり（棚板６２ａと金具６２ｂとは木ねじにより取り付けられている。）、さらに金具６２ｂの一部として凸条８１が形成されている。図８に示す状態においては、水平方向の力（図８中、矢印Ｅ方向の力）か、水平方向の力と鉛直下方向の力との合力を棚６１に加えるのみでは凸条８１を溝４３ｂから抜き取ることができないので棚６１が不意に落下することがない。一方、棚６１を上方（図８中、矢印Ｆ方向）に回動させつつ水平方向の力を棚６１に加えることで、凸条８１を溝４３ｂから容易に抜き取り棚６１を板部材４１（第１の板部材４１ａ、第２の板部材４１ｂ及び第３の板部材４１ｃ）から取り外すことができる。また、この逆の動作を行うことで、凸条８１を溝４３ｂに嵌入し、棚６１を板部材４１（第１の板部材４１ａ、第２の板部材４１ｂ及び第３の板部材４１ｃ）に取り付けることができる。
【００２２】
同様に、図９は、箱体６３（６３ａ、６３ｂ、６３ｃ、６３ｄ）の取付状態を示す断面図（箱体６３ａ、６３ｂ、６３ｃ、６３ｄのいずれも同じ取付状態であるので、箱体６３ｃについて図１のＧ−Ｇ断面の一部を示した。）である。図９を参照して、箱体６３（６３ａ、６３ｂ、６３ｃ、６３ｄ）の取付状態について説明する。箱体６３は、木製の箱体本体６４ａと、箱体本体６４ａを取り付ける金具６４ｂと、を有してなり（箱体本体６４ａと金具６４ｂとは木ねじにより取り付けられている。）、さらに金具６４ｂの一部として凸条８１が形成されている。図９に示す状態においては、水平方向の力（図９中、矢印Ｊ方向の力）か、水平方向の力と鉛直下方向の力との合力を箱体６３に加えるのみでは凸条８１を溝４３ｂから抜き取ることができないので箱体６３が不意に落下することがない。一方、箱体６３を上方（図９中、矢印Ｋ方向）に回動させつつ水平方向の力を箱体６３に加えることで、凸条８１を溝４３ｂから容易に抜き取り箱体６３を板部材４１（第１の板部材４１ａ、第２の板部材４１ｂ及び第３の板部材４１ｃ）から取り外すことができる。また、この逆の動作を行うことで、凸条８１を溝４３ｂに嵌入し、箱体６３を板部材４１（第１の板部材４１ａ、第２の板部材４１ｂ及び第３の板部材４１ｃ）に取り付けることができる。
【００２３】
以上説明したように、本家具１１は、背面２３に板部材４１（４１ａ、４１ｂ、４１ｃ）を取り付ける本体取付手段たるボルト２５を有する家具本体２１と、本体取付手段たるボルト２５と着脱自在に係合する板取付手段たる取付金具７１を有する板部材４１（４１ａ、４１ｂ、４１ｃ）と、を備えてなる、家具である。
そして、前記本体取付手段たるボルト２５と前記板取付手段たる取付金具７１との一方（ここではボルト２５）が凸部であり、かつ他方（ここでは取付金具７１）が該凸部（ボルト２５）が嵌脱自在に嵌入される嵌入部である。
また、ここでは家具本体２１が、略直方体の形状を有する。
さらに、板部材４１が、家具本体２１の背面２３の略全面を覆うものである。
【００２４】
そして、板部材４１（４１ａ、４１ｂ、４１ｃ）が、板部材４１（４１ａ、４１ｂ、４１ｃ）の表面４１ｆに収納手段（棚６１（６１ａ、６１ｂ、６１ｃ）、箱体６３（６３ａ、６３ｂ、６３ｃ、６３ｄ））を着脱自在に取り付ける収納手段取付手段たる溝４３ｂを有している。
また、ここでは収納手段取付手段が、収納手段（棚６１（６１ａ、６１ｂ、６１ｃ）、箱体６３（６３ａ、６３ｂ、６３ｃ、６３ｄ））が有する凸部である収納手段凸部たる凸条８１を着脱自在に嵌入する凹部である収納手段凸部嵌入凹部たる溝４３ｂである。
さらに、ここでは板部材４１（４１ａ、４１ｂ、４１ｃ）は、収納手段（棚６１（６１ａ、６１ｂ、６１ｃ）、箱体６３（６３ａ、６３ｂ、６３ｃ、６３ｄ））が板部材の表面４１ｆに着脱自在に取り付けたものである。
また、ここにおいては収納手段が、棚６１（６１ａ、６１ｂ、６１ｃ）及び箱体６３（６３ａ、６３ｂ、６３ｃ、６３ｄ）である。
【図面の簡単な説明】
【図１】一実施形態の本発明の家具（本家具）の斜視図である。
【図２】本家具を構成する家具本体の斜視図である。
【図３】本家具を構成する板部材に含まれる３枚の板部材のうちの１枚を示す斜視図である。
【図４】ボルトが家具本体にねじ込まれたところを示す拡大断面図である。
【図５】取付金具を示す図である。
【図６】ボルトと取付金具とが係合した状態を示す一部断面図である。
【図７】溝形成部材の長手方向に対する垂直な断面図（図３中のＣ−Ｃ断面図）である。
【図８】棚の取付状態を示す断面図である。
【図９】箱体の取付状態を示す断面図である。
【符号の説明】
１１            本家具
２１            家具本体
２１ａ          第１部分
２１ｂ          第２部分
２１ｃ          第３部分
２３            背面
２４            正面
２５            ボルト
２５ａ          軸部
２５ｂ          頭部
２５ｃ          つば部
４１            板部材
４１ａ          第１の板部材
４１ｂ          第２の板部材
４１ｃ          第３の板部材
４１ｆ          表面
４３            溝形成部材
４３ｂ          溝
６１、６１ａ、６１ｂ、６１ｃ  棚
６２ａ          棚板
６２ｂ          金具
６３、６３ａ、６３ｂ、６３ｃ、６３ｄ  箱体
６４ａ          箱体本体
６４ｂ          金具
７１            取付金具
７３ａ、７３ｂ  取付穴
７４ａ、７４ｂ  平坦部
７４ｃ          湾曲部
７５            長穴
７５ａ          大穴部
８１            凸条
【図１】
2004215695.tif 000003
【図２】
2004215695.tif 000004
【図３】
2004215695.tif 000005
【図４】
2004215695.tif 000006
【図５】
2004215695.tif 000007
【図６】
2004215695.tif 000008
【図７】
2004215695.tif 000009
【図８】
2004215695.tif 000010
【図９】
2004215695.tif 000011